(57)【要約】  工業製品の生産ラインの複数の生産装置で発生する廃棄物を回収する作業者を支援する支援装置が開示される。支援装置は、各々の生産装置から送信される信号に基づいて、前記複数の生産装置のなかから、作業者が廃棄物を回収すべき作業対象の生産装置を選定する選定手段と、選定手段が選定した作業対象の生産装置について、作業者が廃棄物を回収すべき作業順序の少なくとも一部を決定する順序決定手段と、順序決定手段が決定した作業順序の少なくとも一部を作業者に指示する指示手段とを備える。
2015173888.tif 000002
【特許請求の範囲】
【請求項１】
工業製品の生産システムを構成する複数の生産装置から廃棄物を回収する作業者を支援する支援装置であり、
各々の生産装置から送信される信号に基づいて、前記複数の生産装置のなかから作業者が廃棄物を回収すべき作業対象の生産装置を選定する選定手段と、
前記選定手段が選定した作業対象の生産装置について、作業者が廃棄物を回収すべき作業順序の少なくとも一部を決定する順序決定手段と、
前記順序決定手段が決定した作業順序の少なくとも一部を、作業者に指示する指示手段と、
を備える支援装置。
【請求項２】
前記生産装置から送信される信号は、前記生産装置に蓄積された廃棄物の量に相関する信号を含む、請求項１に記載の支援装置。
【請求項３】
前記生産装置から送信される信号は、当該生産装置に蓄積された廃棄物の量が第１所定量よりも多いときに、第１信号を含み、
前記選定手段は、前記第１信号を送信する生産装置を、前記作業対象の生産装置として選定する、請求項２に記載の支援装置。
【請求項４】
前記生産装置から送信される信号は、当該生産装置に蓄積された廃棄物の量が前記第１所定量よりも少なくて第２所定量よりも多いときに、第２信号を含み、
前記選定手段は、前記第２信号を送信する生産装置のなかで、先に選定された生産装置に対して所定の位置関係にある生産装置を、前記作業対象の生産装置としてさらに選定する、請求項３に記載の支援装置。
【請求項５】
前記生産装置から送信される信号は、当該生産装置に蓄積された廃棄物の量が前記第１所定量よりも少なくて第２所定量よりも多いときに、第２信号を含み、
前記選定手段は、前記第２信号を送信する生産装置のなかで、前記作業順序から決定される作業者の移動経路上にある生産装置を、前記作業対象の生産装置としてさらに選定する、請求項３又は４に記載の支援装置。
【請求項６】
前記順序決定手段は、前記作業対象の生産装置のなかで、作業者が最初に廃棄物を回収すべき生産装置を少なくとも決定する、請求項１から５のいずれか一項に記載の支援装置。
【請求項７】
前記順序決定手段は、前記複数の生産装置の位置関係を記述する配置情報を記憶しており、当該配置情報を用いて前記順序を決定する、請求項１から６のいずれか一項に記載の支援装置。
【請求項８】
前記順序決定手段は、前記作業者の移動距離又は移動時間が最短となるように、前記作業順序を決定可能である、請求項７に記載の支援装置。
【請求項９】
前記順序決定手段は、前記作業対象の生産装置の各々について、作業者の予定到達時刻が前記信号の送信から第１所定時間以内となるように、前記作業順序を決定可能である、請求項７又は８に記載の支援装置。
【請求項１０】
前記順序決定手段は、前記作業対象の生産装置の各々について、前記信号の送信から前記第１所定時間よりも短い第２所定時間を経過したときに、前記作業順序の修正を行う、請求項９に記載の支援装置。
【請求項１１】
前記順序決定手段は、前記選定手段が作業対象の生産装置を新たに選定したときに、前記作業順序を再度決定する、請求項１から１０のいずれか一項に記載の支援装置。
【請求項１２】
前記順序決定手段は、前記作業者の基準位置を記憶しており、当該基準位置を起点とする作業順序を決定可能である、請求項１から１１のいずれか一項に記載の支援装置。
【請求項１３】
前記順序決定手段は、前記作業者の実際位置を推定又は検出可能であり、その推定又は検出した実際位置を起点とする作業順序を決定可能である、請求項１から１２のいずれか一項に記載の支援装置。
【請求項１４】
前記順序決定手段は、前記作業順序の少なくとも一部に対する作業者の移動経路をさらに決定し、
前記指示手段は、前記順序決定手段が決定した移動経路をさらに指示する、請求項１から１３のいずれか一項に記載の支援装置。
【請求項１５】
前記工業製品は、複数の電子部品を回路基板に装着した部品実装基板であり、
前記複数の生産装置は、少なくとも一つの部品装着装置を含む、請求項１から１４のいずれか一項に記載の支援装置。
【発明の詳細な説明】
【技術分野】
【０００１】
本明細書は、工業製品の生産システムを構成する複数の生産装置から廃棄物を回収する作業者を支援する技術に関する。
【背景技術】
【０００２】
特開２００７−９５７６１号公報に、部品実装基板を生産する生産装置が記載されている。この生産装置は、テープ屑といった廃棄物を回収する回収部を備える。回収部に回収された廃棄物は、作業者によって回収される。
【発明の概要】
【発明が解決しようとする課題】
【０００３】
工業製品の工場では多数の生産装置が利用されており、作業者は複数の生産装置で発生する廃棄物を効率よく回収することが求められる。そこで、本明細書は、複数の生産装置から廃棄物を回収する作業者を支援する技術を提供する。
【課題を解決するための手段】
【０００４】
上記の課題を解決するために、本明細書は、工業製品の生産システムを構成する複数の生産装置から廃棄物を回収する作業者を支援する装置を開示する。この支援装置は、各々の生産装置から送信される信号に基づいて、複数の生産装置のなかから作業者が廃棄物を回収すべき作業対象の生産装置を選定する選定手段と、選定処理部が選定した作業対象の生産装置について、作業者が廃棄物を回収すべき作業順序の少なくとも一部を決定する順序決定手段と、順序決定手段が決定した作業順序の少なくとも一部を作業者に指示する指示手段とを備える。このような構成によると、作業者は、指示された作業順序に従うことによって、複数の生産装置から廃棄物を効率よく回収することができる。【０００５】
ここで、生産装置から廃棄物を回収する作業は、人に限られず、ロボットによって行われてもよい。そのことから、本明細書でいう作業者には、人に限られず、ロボット（移動型の装置）も含まれるものとする。即ち、本明細書が開示する支援装置は、複数の生産装置から廃棄物を回収する人及びロボットのいずれも支援することができる。
【図面の簡単な説明】
【０００６】
【図１】支援装置が適用された生産システムの一部であって、工場の一階に配置された部分を模式的に示す。
【図２】支援装置が適用された生産システムの一部であって、工場の二階に配置された部分を模式的に示す。
【図３】生産装置（部品装着装置）の機械的な構成を模式的に示す図。
【図４】支援装置の構成を示すブロック図。
【図５】支援装置が作成するデータであって、第１信号又は第２信号を出力する生産装置を記述するデータ。
【図６】支援装置が決定する作業順序の一例を示す表。
【図７】支援装置が決定する作業順序及び移動経路の一部であって、工場の一階における作業順序及び移動経路を示す。
【図８】支援装置が決定する作業順序及び移動経路の一部であって、工場の二階における作業順序及び移動経路を示す。
【図９】修正後の作業順序及び移動経路の一部であって、工場の一階における作業順序及び移動経路を示す。
【図１０】修正後の作業順序及び移動経路の一部であって、工場の二階における作業順序及び移動経路を示す。
【発明を実施するための形態】
【０００７】
本技術の一実施形態において、生産装置から送信される前記信号は、生産装置に蓄積された廃棄物の量に相関する信号を含むことが好ましい。この場合、生産装置は、廃棄物の量の検出量、生産装置の生産量、生産装置の運転時間、生産装置で廃棄物を発生する装置の動作量（又は動作回数）に基づいて、前記信号を出力することができる。
【０００８】
上記した実施形態において、生産装置から送信される信号は、当該生産装置に蓄積された廃棄物の量（推定値であってもよい）が第１所定量よりも多いときに、第１信号を含むことが好ましい。この場合、選定手段は、第１信号を出力する生産装置を、作業対象の生産装置として選定することが好ましい。
【０００９】
上記した実施形態において、生産装置から送信される信号は、当該生産装置に蓄積された廃棄物の量（推定値であってもよい）が、第１所定量よりも少なくて第２所定量よりも多いときに、第２信号を含むことが好ましい。この場合、選定手段は、第２信号を出力する生産装置のなかで、先に選定された生産装置に対して所定の位置関係にある生産装置を、作業対象の生産装置としてさらに選定することが好ましい。このような構成によると、支援装置は、作業者に作業順序を指示するときに、作業者の近傍に位置する生産装置のなかで、間もなく廃棄物の回収が必要となる生産装置を、作業者に教示することができる。これにより、作業者は、その後に同じような場所へ再び足を運ぶ必要がなく、効率よく作業を行うことができる。
【００１０】
上記した所定の位置関係にある生産装置の非限定的な例としては、隣接する生産装置、通路を挟んで対向する生産装置、所定の距離内にある生産装置、所定の移動距離内にある生産装置、同じ生産ラインに属する生産装置、同じフロアにある生産装置などが挙げられる。
【００１１】
上記に加え、又は代えて、選定手段は、第２信号を出力する生産装置のなかで、作業順序から決定される作業者の移動経路上にある生産装置を、作業対象の生産装置としてさらに選定することが好ましい。このような構成によっても、支援装置は、作業者に作業順序を指示するときに、作業者の近傍に位置する生産装置のなかで、間もなく廃棄物の回収が必要となる生産装置を、作業者に教示することができる。
【００１２】
本技術の一実施形態において、順序決定手段は、選定手段が選定した作業対象の生産装置のなかで、作業者が最初に廃棄物を回収すべき生産装置を少なくとも決定することが好ましい。即ち、順序決定手段は、作業対象の生産装置の全てについて、その順序を同時に決定する必要はない。例えば、順序決定手段は、作業者が一又は複数の生産装置に対する作業を完了する度に、その後に作業者が作業すべき一又は複数の生産装置を決定してもよい。
【００１３】
本技術の一実施形態において、順序決定手段は、複数の生産装置の位置関係を記述する配置情報を記憶しており、当該配置情報を用いて前記順序を決定することが好ましい。この場合、配置情報は、複数の生産装置の位置を作業者の通路と共に記述するものであってもよいし、任意の二つの生産装置の間の移動距離をそれぞれ記述する情報であってもよい。
【００１４】
上記の実施形態において、順序決定手段は、作業者の移動距離又は移動時間が最短となるように、作業順序を決定可能であることが好ましい。このような構成によると、作業者は、作業対象の生産装置から廃棄物を回収する作業を、最も効率的に行うことができる。
【００１５】
上記に加え、又は代えて、順序決定手段は、作業対象の生産装置の各々について、作業者の予定到達時刻が前記信号の送信から第１所定時間以内となるように、作業順序を決定可能であることが好ましい。このような構成によると、蓄積された廃棄物によって生産装置が停止するような事態を避けることができる。
【００１６】
上記に加え、順序決定手段は、作業対象の生産装置の各々について、前記信号の送信から前記第１所定時間よりも短い第２所定時間を経過したときに、作業順序の修正を行うことが好ましい。このような構成によると、作業者による作業が予定より遅れたときには、作業者に新たな作業順序を指示することによって、廃棄物による生産装置の停止を未然に防止することができる。一例ではあるが、修正後の作業順序では、第２所定時間を経過した生産装置を、最初の作業対象とするとよい。
【００１７】
本技術の一実施形態において、順序決定手段は、選定手段が作業対象の生産装置を新たに選定したときに、作業順序を再度決定することが好ましい。このような構成によると、不規則に生じる作業対象の生産装置に応じて、適切な作業順序を作業者に指示することができる。
【００１８】
本技術の一実施形態において、順序決定手段は、作業者の基準位置を記憶しており、当該基準位置を起点とする作業順序を決定可能であることが好ましい。この場合、順序決定手段は、複数の基準位置を記憶しており、例えば作業者による指示又は時間帯に応じて、複数の基準位置の一つを選択的に用いてもよい。
【００１９】
本技術の一実施形態において、順序決定手段は、作業者の位置を推定又は検出可能であり、その推定又は検出した現在位置を起点とする作業順序を決定可能であることが好ましい。このような構成によると、作業者の実際の位置に応じて、作業者に適切な作業順序を指示することができる。ここで、順序決定手段は、作業者が最後に作業した生産装置の位置を、作業者の実際位置と推定してもよい。あるいは、順序決定手段は、作業者が身に着けている携帯通信端末（例えば、携帯電話、スマートフォン、タブレット）を利用して、作業者の実際位置を検出してもよい。
【００２０】
本技術の一実施形態において、順序決定手段は、作業順序に加えて、その作業順序の少なくとも一部に対する作業者の移動経路をさらに決定することが好ましい。この場合、指示手段は、順序決定手段が決定した移動経路をさらに指示することが好ましい。このような構成によると、作業者は、適切な順序かつ経路で、作業対象の生産装置から廃棄物を回収することができる。
【００２１】
本技術は、機械製品、電気製品、化学製品を含む各種の工業製品を生産する生産システムに広く適用することができるが、本技術は、回路基板に電子部品を装着した部品実装基板の生産システムであって、部品装着装置を含む複数の生産装置を有する生産システムに好適に適用することができる。
【００２２】
本明細書において、生産装置とは、工業製品の生産システムで使用される各種の装置、例えば、加工装置、組立装置、熱処理装置、検査装置、搬送装置などを広く含む。
【実施例】
【００２３】
図面を参照して実施例の支援装置１０について説明する。図１、図２に示すように、本実施例の支援装置１０は、工業製品である部品実装基板の生産システムにおいて、複数の生産装置５０で発生する作業者３０を支援する。図２に示すように、支援装置１０は、コンピュータ装置を用いて構成されており、主に、処理装置１２と、記憶装置１４と、通信インターフェース１６とを備える。支援装置１０は、通信インターフェース１６を介して、全ての生産装置５０及び作業者３０が携帯する通信情報端末３２と通信可能に接続されている。【００２４】
最初に、部品実装基板の生産システムについて説明する。生産システムは、複数の生産装置５０を備える。各々の生産装置５０は、一例ではあるが、回路基板に電子部品を装着する部品実装基板である。生産システムは、九つの生産ラインＡ〜Ｉを有し、各々の生産ラインＡ〜Ｉは、十の生産装置５０を含んでいる。四つの生産ラインＡ〜Ｆは工場の一階４１に配置されており、三つの生産ラインＧ〜Ｉは工場の二階４２に配置されている。工場の一階４１と二階４２は、階段４３によって互いに接続されている。【００２５】
図１に示すように、工場の一階４１では、生産ラインＡが、通路Ｊに沿って配置されている。生産ラインＢと生産ラインＣは、通路Ｋに沿って配置されているとともに、通路Ｋを挟んで互いに対向している。生産ラインＤと生産ラインＥは、通路Ｌに沿って配置されているとともに、通路Ｌを挟んで互いに対向している。そして、生産ラインＦが、通路Ｍに沿って配置されている。通路Ｊ〜Ｍは、互いに平行であって、南北に伸びている。図２に示すように、工場の二階４２では、生産ラインＧと生産ラインＨとが、通路Ｎに沿って配置されているとともに、通路Ｎを挟んで互いに対向している。そして、生産ラインＩが、通路Ｏに沿って配置されている。通路Ｎ、Ｏは、互いに平行であって、東西に伸びている。【００２６】
図３を参照して、生産装置５０について説明する。前述したように、本実施例における生産装置５０は、回路基板２に電子部品４を装着する部品装着装置である。但し、この説明は、生産装置５０の一例を示すものであって、生産装置５０の限定を意図するものではない。【００２７】
図３に示すように、生産装置５０は、回路基板２を支持するコンベア５２と、電子部品４を供給する複数の部品フィーダ５４と、部品フィーダ５４が供給する電子部品４をコンベア５２上の回路基板２に装着するヘッド５６とを備える。また、生産装置５０は、ヘッド５６を移動させる移動装置５８と、ヘッド５６が保持する電子部品４の良否を判定するためのカメラ６０とを備える。これらに加え、生産装置５０は、ノズル交換装置やディップユニットといった、各種の装置をさらに備えてもよい。さらに、生産装置５０は、タッチパネル７０と制御装置７２とを備える。タッチパネル７０は、作業者３０からの指示を受け付けるユーザインターフェースであり、かつ、各種の情報を作業者３０に表示する表示装置である。制御装置７２は、生産装置５０の動作を制御する。【００２８】
生産装置５０はさらに、廃棄物ボックス６２と、廃棄物ボックス６２の回収量を検出するセンサ６４と、部品フィーダ５４が発生するテープ屑６を切断するテープカッター６６とを備える。廃棄物ボックス６２は、生産装置５０で発生する廃棄物を回収する。例えば、廃棄物ボックス６２は、部品フィーダ５４が発生するテープ屑６やテープリール８を、廃棄物として回収する。また、廃棄物ボックス６２は、ヘッド５６から落下した電子部品４や、カメラ６０によって不良品とされた電子部品４を、廃棄物として回収する。廃棄物ボックス６２の廃棄物は、作業者３０によって回収される。即ち、本実施例の支援装置１０は、複数の生産装置５０の廃棄物ボックス６２から廃棄物を回収する作業者３０を支援する。なお、廃棄物ボックス６２は、廃棄物を回収する回収部の一例である。生産装置５０は、廃棄物ボックス６２に加えて、又は代えて、廃棄物トレイ、廃棄物コンベア、廃棄物バッグといった他の回収部を備えてもよい。【００２９】
センサ６４は、少なくとも、廃棄物ボックス６２内の廃棄物の量が、第１所定量よりも多いのか否かを検出することができる。加えて、本実施例のセンサ６４は、廃棄物ボックス６２内の廃棄物の量が、第１所定量よりも少なくて第２所定量よりも多いのか否かをさらに検出することができる。センサ６４の検出結果は制御装置７２に入力される。制御装置７２は、センサ６４の検出結果に応じて、所定の信号を支援装置１０に送信する。即ち、制御装置７２は、廃棄物ボックス６２内の廃棄物の量が第１所定量よりも多いときに、第１信号を支援装置１０へ送信する。また、制御装置７２は、廃棄物ボックス６２内の廃棄物の量が第１所定量よりも少なくて第２所定量よりも多いときに、第２信号を支援装置１０へ送信する。なお、制御装置７２は、センサ６４の検出結果に限られず、他の指標（例えば、生産装置５０の生産量、生産装置５０の稼働時間、テープカッター６６の動作回数）に基づいて、廃棄物ボックス６２内の廃棄物の量を推定し、第１信号及び第２信号を選択的に出力してもよい。【００３０】
次に、図４を参照して、支援装置１０について説明する。支援装置１０は、通信インターフェース１６を介して、各々の生産装置５０が送信する第１信号及び第２信号を受信する。支援装置１０は、第１信号又は第２信号を受信すると、その信号を送信した生産装置５０とその送信時刻を記憶装置１４に記憶する。それにより、記憶装置１４には、図５に示すデータが作成され、各々の生産装置５０の状態が監視される。【００３１】
記憶装置１４のデータは、処理装置１２によって処理される。処理装置１２は、機能的に、選定部２２と、順序決定部２４と、指示部２６とを備える。なお、これらの各部２２、２４、２６は、処理装置１２のハードウエア及びソフトウエアによって構成されている。選定部２２は、記憶装置１４のデータに基づいて、作業者３０が廃棄物を回収すべき作業対象の生産装置５０を選定する。先ず、選定部２２は、第１信号を出力している生産装置５０を、作業対象として選定する。例えば、図５に示すデータの場合、Ｂ３、Ｃ８、Ｄ５、Ｅ４、Ｇ４、Ｈ５、Ｉ２、Ｉ９に位置する生産装置５０が選択される。ここで、例えばＢ３に位置するとは、生産ラインＢの北側から三台目の生産装置５０を意味する（図１、図２参照）。【００３２】
次に、付加的な処理ではあるが、選定部２２は、第２信号を送信する生産装置５０のなかで、先に選定された生産装置５０と同じ生産ラインに位置するものをさらに選定する。例えば、図５に示すデータの場合、Ｂ６及びＥ７に位置する生産装置５０が、作業対象としてさらに選定される。例えばＢ６に位置する生産装置５０は、第２信号を送信しているので、間もなく破棄物の回収が必要となる。このような生産装置５０は、作業者３０がＢ３に位置する生産装置５０から廃棄物を回収するときに、併せて廃棄物を回収されることが好ましく、それにより、作業者３０は効率よく作業をすることができる。【００３３】
選定部２２が作業対象の生産装置５０を選定すると、順序決定部２４が、作業対象の生産装置５０について、作業者３０が廃棄物を回収すべき作業順序と移動経路を決定する。順序決定部２４は、複数の生産装置５０の配置情報（即ち、工場内の地図情報）を記憶しており、任意の二つの生産装置５０の間の最短の移動距離及び移動経路を計算することができる。先ず、順序決定部２４は、作業者３０の移動距離（又は移動時間）が短くなるように、作業対象の生産装置５０に対する作業順序及び移動経路を決定する。このとき、順序決定部２４は、予め記憶している基準位置として、工場の入口３４を起点とする作業順序及び移動経路を決定する。但し、順序決定部２４は、作業者３０の実際位置を起点とする作業順序及び移動経路を決定してもよい。順序決定部２４は、作業者３０が携帯する通信情報端末３２を用いて、作業者３０の実際位置を検出することができる。あるいは、順序決定部２４は、作業者３０が廃棄物を最後に回収した生産装置５０の位置を、作業者３０の実際位置と推定することもできる。【００３４】
図６、図７、図８に、順序決定部２４が決定する作業順序の一例を示す。このとき、順序決定部２４は、図６に示すように、各々の生産装置５０について、作業者３０の予定到達時刻と、第１信号の送信時刻から予定到達時刻までの経過時間を計算する。そして、順序決定部２４は、少なくとも一つの生産装置５０について、経過時間が第１所定時間（例えば１０分）を超えている場合、その生産装置５０の順序を繰り上げることによって、作業順序の修正を行う。それにより、順序決定部２４は、各々の生産装置５０について、作業者３０の予定到達時刻が第１信号の送信から第１所定時間以内となるように、作業順序及び移動経路を決定することができる。なお、順序決定部２４は、作業順序のみを決定し、移動経路を必ずしも決定する必要はない。また、順序決定部２４は、作業対象である全ての生産装置５０に対して作業順序を決定する必要はなく、少なくとも作業者３０が最初に廃棄物を回収すべき生産装置５０のみを決定してもよい。【００３５】
順序決定部２４が作業順序及び移動経路を決定した後に、選定部２２は、決定された移動経路に基づいて、一又は複数の生産装置５０を新たに選定する処理を実行してもよい。この場合、選定部２２は、第２信号を送信する生産装置５０のなかで、決定された移動経路上にある生産装置５０を、作業対象とした新たに決定するとよい。このような構成によると、作業者３０は、指示に従って作業をしていく途中で、間もなく廃棄物の回収が必要となる生産装置５０からも、廃棄物を回収することができる。作業者３０は、その生産装置５０に再び足を運ぶ必要がなくなるので、作業を効率よく行うことができる。【００３６】
順序決定部２４が作業順序及び移動経路を決定すると、指示部２６が、決定された作業順序及び移動経路を作業者３０に指示する。この場合、指示部２６は、通信インターフェース１６を用いて、作業順序及び移動経路を示すデータを、作業者３０が携帯する通信情報端末３２に送信する。それにより、作業順序及び移動経路が、通信情報端末３２のディスプレイに表示される、又は、音声によって作業者３０に教示される。ここで、指示部２６は、作業順序のみを指示し、移動経路を必ずしも指示する必要はない。また、指示部２６は、全ての作業順序を指示する必要はなく、少なくとも作業者３０が最初に廃棄物を回収すべき生産装置５０のみを指示してもよい。【００３７】
作業者３０が指示に従って作業をしている間に、一又は複数の生産装置５０が、新たに廃棄物の回収を必要とすることがある。即ち、一又は複数の生産装置５０が、新たに第１信号を送信し始めることがある。この場合、選定部２２が、当該一又は複数の生産装置５０を作業対象として新たに選定し、順序決定部２４が、その時点における作業対象の生産装置５０について、作業順序と移動経路を再決定する。例えば、図９、図１０に示すように、Ｆ３に位置する生産装置５０が、新たに第１信号を送信し始めたとし、この時点において、作業者３０はＥ４に位置する生産装置５０の作業まで完了していたとする。この場合、順序決定部２４は、Ｅ４に位置する生産装置５０の位置を起点とし、Ｆ３、Ｇ４、Ｈ５、Ｉ２、Ｉ９に位置する生産装置５０について、作業順序及び移動経路を決定する処理を行う。このように、作業順序及び移動経路が適時に更新されることによって、作業者３０は廃棄物を回収する作業を効率よく行うことができる。【００３８】
作業者３０が指示に従って作業をしている間に、作業者３０による作業が予定より遅れることがある。この場合、前述した第１所定時間内に廃棄物が回収されない生産装置５０が生じるおそれがある。そのことから、順序決定部２４は、作業対象である生産装置５０の各々について、第１信号の送信から第１所定時間よりも短い第２所定時間（例えば９分）を経過したときに、作業順序及び移動経路の修正を行う。一例ではあるが、修正後の作業順序では、第２所定時間を経過した生産装置５０が、最初の作業対象に決定される。【００３９】
以上、本発明の具体例を詳細に説明したが、これらは例示にすぎず、請求の範囲を限定するものではない。請求の範囲に記載の技術には、以上に例示した具体例を様々に変形、変更したものが含まれる。【００４０】
例えば、作業者３０に対する作業順序及び／又は移動経路の指示は、作業者３０の通信情報端末３２に限られず、生産装置５０のタッチパネル７０の表示、工場内の放送、作業者３０への印刷物の配布など、その他の方式によって行われてもよい。【００４１】
実施例で説明した技術は、部品実装基板の生産システムに限られず、工業製品を生産する生産システムに広く適用することができる。本技術を適用することによって、生産する工業製品の種類にかかわらず、作業者３０は、生産システムを構成する複数の生産装置５０から、廃棄物を効率よく回収することが可能となる。【００４２】
本明細書または図面に説明した技術要素は、単独であるいは各種の組み合わせによって技術的有用性を発揮するものであり、出願時の請求項に記載の組み合わせに限定されるものではない。また、本明細書または図面に例示した技術は複数目的を同時に達成するものであり、そのうちの一つの目的を達成すること自体で技術的有用性を持つものである。
【符号の説明】
【００４３】
２：回路基板
４：電子部品
６：テープ屑
８：テープリール
１０：支援装置
１２：処理装置
１４：記憶装置
１６：通信インターフェース
２２：選定部
２４：順序決定部
２６：指示部
３０：作業者
３２：通信情報端末
５０：生産装置
６２：廃棄物ボックス
６４：センサ
【図１】
2015173888.tif 000003
【図２】
2015173888.tif 000004
【図３】
2015173888.tif 000005
【図４】
2015173888.tif 000006
【図５】
2015173888.tif 000007
【図６】
2015173888.tif 000008
【図７】
2015173888.tif 000009
【図８】
2015173888.tif 000010
【図９】
2015173888.tif 000011
【図１０】
2015173888.tif 000012
【国際調査報告】
2015173888.tif 000013
2015173888.tif 000014